(57)【要約】【課題】複数の排紙トレイそれぞれの排出可能用紙の複数の属性に基づき、適切に排紙先の排紙トレイを決定する【解決手段】画像形成装置は、複数の排紙トレイと、前記複数の排紙トレイそれぞれについて、排出可能用紙の複数の属性の組み合わせを関連付けて登録したテーブルを記憶する記憶装置と、印刷される用紙の複数の属性を含む印刷要求を受信し、前記印刷要求に含まれる前記複数の属性の組み合わせが、前記テーブルに登録されているか否かを判断し、前記組み合わせが前記テーブルに登録されていないと判断すると、前記テーブルを参照して、前記印刷要求に含まれる少なくとも１つの属性が関連付けられた排紙トレイを排紙先として選択し、前記印刷要求に含まれる前記複数の属性のいずれも、前記テーブルに登録されていないと判断すると、前記排紙先を選択しないコントローラーとを具備する。【選択図】図４
2019151000.tif 000002
【特許請求の範囲】
【請求項１】
複数の排紙トレイと、
前記複数の排紙トレイそれぞれについて、排出可能用紙の複数の属性の組み合わせを関連付けて登録したテーブルを記憶する記憶装置と、
印刷される用紙の複数の属性を含む印刷要求を受信し、
前記印刷要求に含まれる前記複数の属性の組み合わせが、前記テーブルに登録されているか否かを判断し、
前記組み合わせが前記テーブルに登録されていないと判断すると、
前記テーブルを参照して、前記印刷要求に含まれる少なくとも１つの属性が関連付けられた排紙トレイを排紙先として選択し、
前記印刷要求に含まれる前記複数の属性のいずれも、前記テーブルに登録されていないと判断すると、前記排紙先を選択しない
コントローラーと
を具備する画像形成装置。
【請求項２】
請求項１に記載の画像形成装置であって、
前記テーブルは、前記複数の排紙トレイそれぞれについて、前記排出可能用紙の複数の属性として、排出可能用紙サイズ及び排出可能用紙タイプの組み合わせを関連付けて登録し、
前記コントローラーは、
前記印刷される用紙の複数の属性として、用紙サイズ及び用紙タイプを含む前記印刷要求を受信し、
前記印刷要求に含まれる前記複数の属性の組み合わせとして、前記用紙サイズ及び前記用紙タイプの組み合わせが、前記テーブルに登録されているか否かを判断し、
前記用紙サイズ及び前記用紙タイプの組み合わせが登録されていないと判断すると、
（１）前記印刷要求に含まれる前記用紙サイズが前記テーブルに登録されているか否かを判断し、前記用紙サイズが登録されていると判断すると、前記用紙サイズが関連付けられた排紙トレイを前記排紙先として選択し、又は
（２）前記印刷要求に含まれる前記用紙タイプが前記テーブルに登録されているか否かを判断し、前記用紙タイプが登録されていると判断すると、前記用紙タイプが関連付けられた排紙トレイを前記排紙先として選択し、
前記用紙サイズ及び前記用紙タイプが登録されていないと判断すると、前記排紙先を選択しない
画像形成装置。
【請求項３】
請求項２に記載の画像形成装置であって、
前記コントローラーは、
前記用紙サイズ及び前記用紙タイプの組み合わせが登録されていないと判断すると、前記印刷要求に含まれる前記用紙サイズが特定のサイズか否かを判断し、
前記用紙サイズが前記特定のサイズでないと判断すると、
（１）前記印刷要求に含まれる前記用紙サイズが前記テーブルに登録されているか否かを判断し、前記用紙サイズが登録されていると判断すると、前記用紙サイズが関連付けられた排紙トレイを前記排紙先として選択し、
前記用紙サイズが登録されていないと判断すると、次に、
（２）前記印刷要求に含まれる前記用紙タイプが前記テーブルに登録されているか否かを判断し、前記用紙タイプが登録されていると判断すると、前記用紙タイプが関連付けられた排紙トレイを前記排紙先として選択し、
前記用紙タイプが登録されていないと判断すると、前記排紙先を選択しない
画像形成装置。
【請求項４】
請求項３に記載の画像形成装置であって、
前記コントローラーは、
前記用紙サイズが前記特定のサイズであると判断すると、
（２）前記印刷要求に含まれる前記用紙タイプが前記テーブルに登録されているか否かを判断し、前記用紙タイプが登録されていると判断すると、前記用紙タイプが関連付けられた排紙トレイを前記排紙先として選択し、
前記用紙タイプが登録されていないと判断すると、次に、
（１）前記印刷要求に含まれる前記用紙サイズが前記テーブルに登録されているか否かを判断し、前記用紙サイズが登録されていると判断すると、前記用紙サイズが関連付けられた排紙トレイを前記排紙先として選択し、
前記用紙サイズが登録されていないと判断すると、前記排紙先を選択しない
画像形成装置。
【請求項５】
複数の排紙トレイと、
前記複数の排紙トレイそれぞれについて、排出可能用紙の複数の属性の組み合わせを関連付けて登録したテーブルを記憶する記憶装置と
を有する画像形成装置のコントローラーに、
印刷される用紙の複数の属性を含む印刷要求を受信し、
前記印刷要求に含まれる前記複数の属性の組み合わせが、前記テーブルに登録されているか否かを判断し、
前記組み合わせが前記テーブルに登録されていないと判断すると、
前記テーブルを参照して、前記印刷要求に含まれる少なくとも１つの属性が関連付けられた排紙トレイを排紙先として選択し、
前記印刷要求に含まれる前記複数の属性のいずれも、前記テーブルに登録されていないと判断すると、前記排紙先を選択しない
動作を実行させる
画像形成プログラム。
【発明の詳細な説明】
【技術分野】
【０００１】
本発明は、複数の排紙トレイを有する画像形成装置と、この画像形成装置が実行する画像形成プログラムとに関する。
【背景技術】
【０００２】
複数の排紙トレイを有する画像形成装置であって、複数の排紙トレイそれぞれの排出可能用紙の複数の属性（用紙タイプ、用紙サイズ等）に基づき、排紙先を決定する画像形成装置が知られている（特許文献１）。
【先行技術文献】
【特許文献】
【０００３】
【特許文献１】特開２００８−０４４２８１号公報
【発明の概要】
【発明が解決しようとする課題】
【０００４】
複数の排紙トレイを有する画像形成装置は、複数の排紙トレイそれぞれの排出可能用紙の複数の属性に基づき、益々適切に、排紙先の排紙トレイを決定することが望まれる。
【課題を解決するための手段】
【０００５】
本発明の一形態に係る画像形成装置は、
複数の排紙トレイと、
前記複数の排紙トレイそれぞれについて、排出可能用紙の複数の属性の組み合わせを関連付けて登録したテーブルを記憶する記憶装置と、
印刷される用紙の複数の属性を含む印刷要求を受信し、
前記印刷要求に含まれる前記複数の属性の組み合わせが、前記テーブルに登録されているか否かを判断し、
前記組み合わせが前記テーブルに登録されていないと判断すると、
前記テーブルを参照して、前記印刷要求に含まれる少なくとも１つの属性が関連付けられた排紙トレイを排紙先として選択し、
前記印刷要求に含まれる前記複数の属性のいずれも、前記テーブルに登録されていないと判断すると、前記排紙先を選択しない
コントローラーと
を具備する。
【０００６】
これにより、画像形成装置は、印刷要求に含まれる属性を少しでもサポートする排紙トレイ、言い換えれば、少しでも適切な（即ち、紙詰まり等のトラブルが発生しにくい）排紙トレイを選択することができる。また、これにより、画像形成装置は、エラー（印刷停止）の回数を減らすことができ、画像形成装置のダウンタイムを減らすことができる。
【０００７】
前記テーブルは、前記複数の排紙トレイそれぞれについて、前記排出可能用紙の複数の属性として、排出可能用紙サイズ及び排出可能用紙タイプの組み合わせを関連付けて登録し、
前記コントローラーは、
前記印刷される用紙の複数の属性として、用紙サイズ及び用紙タイプを含む前記印刷要求を受信し、
前記印刷要求に含まれる前記複数の属性の組み合わせとして、前記用紙サイズ及び前記用紙タイプの組み合わせが、前記テーブルに登録されているか否かを判断し、
前記用紙サイズ及び前記用紙タイプの組み合わせが登録されていないと判断すると、
（１）前記印刷要求に含まれる前記用紙サイズが前記テーブルに登録されているか否かを判断し、前記用紙サイズが登録されていると判断すると、前記用紙サイズが関連付けられた排紙トレイを前記排紙先として選択し、又は
（２）前記印刷要求に含まれる前記用紙タイプが前記テーブルに登録されているか否かを判断し、前記用紙タイプが登録されていると判断すると、前記用紙タイプが関連付けられた排紙トレイを前記排紙先として選択し、
前記用紙サイズ及び前記用紙タイプが登録されていないと判断すると、前記排紙先を選択しない。
【０００８】
これにより、画像形成装置は、印刷要求に含まれる用紙サイズ又は用紙タイプをサポートする排紙トレイを排紙先として選択するので、少しでも適切な（即ち、紙詰まり等のトラブルが発生しにくい）排紙トレイを選択することができる。
【０００９】
前記コントローラーは、
前記用紙サイズ及び前記用紙タイプの組み合わせが登録されていないと判断すると、前記印刷要求に含まれる前記用紙サイズが特定のサイズか否かを判断し、
前記用紙サイズが前記特定のサイズでないと判断すると、
（１）前記印刷要求に含まれる前記用紙サイズが前記テーブルに登録されているか否かを判断し、前記用紙サイズが登録されていると判断すると、前記用紙サイズが関連付けられた排紙トレイを前記排紙先として選択し、
前記用紙サイズが登録されていないと判断すると、次に、
（２）前記印刷要求に含まれる前記用紙タイプが前記テーブルに登録されているか否かを判断し、前記用紙タイプが登録されていると判断すると、前記用紙タイプが関連付けられた排紙トレイを前記排紙先として選択し、
前記用紙タイプが登録されていないと判断すると、前記排紙先を選択しない。
【００１０】
これにより、画像形成装置は、特定のサイズ（典型的なサイズ）以外のサイズの用紙をサポートする排紙トレイを優先的に排紙先として選択するので、少しでも適切な（即ち、紙詰まり等のトラブルが発生しにくい）排紙トレイを選択することができる。
【００１１】
前記コントローラーは、
前記用紙サイズが前記特定のサイズであると判断すると、
（２）前記印刷要求に含まれる前記用紙タイプが前記テーブルに登録されているか否かを判断し、前記用紙タイプが登録されていると判断すると、前記用紙タイプが関連付けられた排紙トレイを前記排紙先として選択し、
前記用紙タイプが登録されていないと判断すると、次に、
（１）前記印刷要求に含まれる前記用紙サイズが前記テーブルに登録されているか否かを判断し、前記用紙サイズが登録されていると判断すると、前記用紙サイズが関連付けられた排紙トレイを前記排紙先として選択し、
前記用紙サイズが登録されていないと判断すると、前記排紙先を選択しない。
【００１２】
これにより、画像形成装置は、用紙タイプに合った排紙トレイを優先的に排紙先として選択するので、少しでも適切な（即ち、紙詰まり等のトラブルが発生しにくい）排紙トレイを選択することができる。
【００１３】
本発明の一形態に係る画像形成プログラムは、
複数の排紙トレイと、
前記複数の排紙トレイそれぞれについて、排出可能用紙の複数の属性の組み合わせを関連付けて登録したテーブルを記憶する記憶装置と
を有する画像形成装置のコントローラーに、
印刷される用紙の複数の属性を含む印刷要求を受信し、
前記印刷要求に含まれる前記複数の属性の組み合わせが、前記テーブルに登録されているか否かを判断し、
前記組み合わせが前記テーブルに登録されていないと判断すると、
前記テーブルを参照して、前記印刷要求に含まれる少なくとも１つの属性が関連付けられた排紙トレイを排紙先として選択し、
前記印刷要求に含まれる前記複数の属性のいずれも、前記テーブルに登録されていないと判断すると、前記排紙先を選択しない
動作を実行させる。
【発明の効果】
【００１４】
本発明によれば、複数の排紙トレイを有する画像形成装置は、複数の排紙トレイそれぞれの排出可能用紙の複数の属性に基づき、益々適切に、排紙先の排紙トレイを決定することができる。
【００１５】
なお、ここに記載された効果は必ずしも限定されるものではなく、本開示中に記載されたいずれかの効果であってもよい。
【図面の簡単な説明】
【００１６】
【図１】本発明の一実施形態に係る画像形成装置のハードウェア構成を示す。
【図２】画像形成装置の機能的構成を示す。
【図３】排紙トレイテーブルの構造の一例を示す。
【図４】画像形成装置の動作フローを示す。
【発明を実施するための形態】
【００１７】
以下、図面を参照しながら、本発明の実施形態を説明する。
【００１８】
１．画像形成装置のハードウェア構成
【００１９】
図１は、本発明の一実施形態に係る画像形成装置のハードウェア構成を示す。
【００２０】
本実施形態の画像形成装置１０はＭＦＰ（Multifunction Peripheral）であり、以下ＭＦＰ１０と称する。ＭＦＰ１０は、制御部１１を備える。制御部１１（コントローラー）は、プロセッサーであるＣＰＵ１１ａ（Central Processing Unit）、ＲＡＭ１１ｂ（Random Access Memory）、メモリーであるＲＯＭ１１ｃ（Read Only Memory）及び専用のハードウェア回路等から構成され、ＭＦＰ１０の全体的な動作制御を司る。ＭＦＰ１０を各機能部（後述）として機能させるコンピュータープログラムは、ＲＯＭ等の非一過性のコンピューター読み取り可能な記憶媒体に記憶される。
【００２１】
制御部１１は、画像読取部１２、画像処理部１４、画像メモリー１５、画像形成部１６、操作部１７、記憶装置１８及びネットワーク通信インターフェース１３等と接続されている。制御部１１は、接続されている上記各部の動作制御や、各部との間での信号又はデータの送受信を行う。
【００２２】
制御部１１は、ユーザーから、操作部１７またはネットワーク接続されたパーソナルコンピューター（図示せず）等を通じて入力されるジョブの実行指示に従って、スキャナー機能、印刷機能及びコピー機能などの各機能についての動作制御を実行するために必要な機構の駆動及び処理を制御する。
【００２３】
画像読取部１２は、原稿から画像を読み取るイメージスキャナーである。
【００２４】
画像処理部１４は、画像データを画像処理する。具体的には、画像処理部１４は、画像データをラスタライズしてラスタライズデータ（具体的には、ビットマップデータ）を生成する。画像処理部１４は、ラスタライズデータを色変換して色変換データ（具体的には、ＣＭＹＫ各色のデータ）を生成する。画像処理部１４は、色変換データを必要に応じてさらに処理する。画像処理部１４は、生成した各データを記憶装置１８に記録する。
【００２５】
画像メモリー１５は、画像読取部１２による読み取りで得られた原稿画像のデータを一時的に記憶したり、画像形成部１６での印刷対象となるデータを一時的に記憶したりする領域を有する。
【００２６】
画像形成部１６（プリンター）は、画像読取部１２で読み取られた画像データ等の画像形成を行う。画像形成部１６が画像を形成した用紙は、ＭＦＰ１０が有する（後付けであるか否かを問わない）複数の排紙トレイ（図示せず）の何れかに排出される。複数の排紙トレイの排出可能用紙の複数の属性（排出可能用紙サイズ及び排出可能用紙タイプ等）は、それぞれ異なる（後でより詳細に説明する）。何故なら、排紙トレイのハードウェア又は排紙トレイに至るまでの用紙搬送経路のハードウェア構成が、それぞれ異なるためである。具体例としては、各排紙トレイに至るまでの用紙搬送経路に設けられた複数の搬送ローラーのサイズ、位置、ローラー間の搬送経路方向の距離、ローラー間の搬送経路に直角な方向の距離などが異なる。
【００２７】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）や有機ＥＬ（Electroluminescence）ディスプレイ等の表示部１７ａを備えている。操作部１７は、入力部の一形態である。ユーザーからの指示を入力するデバイスとして例えばマイクが設けられてもよい。
【００２８】
ネットワーク通信インターフェース１３は、ネットワークＮに接続するためのインターフェースである。
【００２９】
記憶装置１８は、画像読取部１２によって読み取られた原稿画像等を記憶する。記憶装置１８は、例えば、ＨＤＤ（Hard Disk Drive）などの大容量の不揮発性記憶装置である。また、記憶装置１８は、ＲＡＭなどの半導体メモリーであってもよい。
【００３０】
２．画像形成装置の機能的構成
【００３１】
図２は、画像形成装置の機能的構成を示す。
【００３２】
ＭＦＰ１０の制御部１１のＣＰＵ１１ａは、ＲＯＭ１１ｃに記録された画像形成プログラムをＲＡＭ１１ｂにロードして実行することにより、印刷要求取得部１０１、トレイ選択部１０２及び印刷制御部１０３として動作する。
【００３３】
印刷要求取得部１０１は、ユーザーから、操作部１７またはネットワーク通信インターフェース１３を介して外部の情報処理装置から入力される印刷要求を受信する。印刷要求は、印刷される用紙の複数の属性を含む。「印刷される用紙の複数の属性」の具体例は、用紙サイズ及び用紙タイプである。
【００３４】
トレイ選択部１０２は、記憶装置１８が記憶する排紙トレイテーブル２００を参照し、印刷要求に含まれる複数の属性（用紙サイズ及び用紙タイプ）に基づき、排紙先の排紙トレイを選択する。
【００３５】
印刷制御部１０３は、画像形成部１６を制御して、印刷要求取得部１０１が取得した印刷要求に基づき画像を形成させ、トレイ選択部１０２が選択した排紙トレイに排紙させる。
【００３６】
３．排紙トレイテーブルの構造
【００３７】
図３は、排紙トレイテーブルの構造の一例を示す。
【００３８】
排紙トレイテーブル２００は、ＭＦＰ１０が有する複数の排紙トレイ（図示せず）を識別するトレイＩＤ２０１のそれぞれについて、排出可能用紙の複数の属性の組み合わせを関連付けて登録する。「排出可能用紙の複数の属性」の具体例は、排出可能用紙サイズ２０２及び排出可能用紙タイプ２０３である。すなわち、排紙トレイテーブル２００は、トレイＩＤ２０１のそれぞれについて、排出可能用紙サイズ２０２及び排出可能用紙タイプ２０３の組み合わせを関連付けて登録する。具体例は、以下の通りである。
【００３９】
トレイＩＤ２０１「トレイ１」に対して、排出可能用紙サイズ２０２「A3、A4-R、A4、A5-R、B4、B5-R、B5、Ledger、Letter-R、Letter、Legal、Statement-R、12×18"、Folio、8K、16K、16K-R」及び排出可能用紙タイプ２０３「普通紙、再生紙・・・」の組み合わせが登録される。
【００４０】
トレイＩＤ２０１「トレイ２」に対して、排出可能用紙サイズ２０２「A3、A4-R、A4、A5-R、A6-R、B4、B5-R、B5、B6-R、216×340 mm、SRA3、Ledger、Letter-R、Letter、Legal、Statement-R、Executive、12×18"、Oficio II、Folio、8K、16K-R、16K、ISO B5、はがき、往復はがき、洋形4号、洋形2号」及び排出可能用紙タイプ２０３「普通紙、厚紙・・・」の組み合わせが登録される。
【００４１】
トレイＩＤ２０１「トレイ３」に対して、排出可能用紙サイズ２０２「幅210〜304.8mm×長 最大1,220.0 mm（バナーサイズ）」及び排出可能用紙タイプ２０３「上質紙」の組み合わせが登録される。
【００４２】
４．画像形成装置の動作フロー
【００４３】
図４は、画像形成装置の動作フローを示す。
【００４４】
印刷要求取得部１０１は、ユーザーから、操作部１７またはネットワーク通信インターフェース１３を介して外部の情報処理装置から入力される印刷要求を受信する（ステップＳ１０１）。印刷要求は、印刷される用紙の複数の属性を含む。「印刷される用紙の複数の属性」の具体例は、用紙サイズ及び用紙タイプである。
【００４５】
トレイ選択部１０２は、印刷要求に含まれる複数の属性（用紙サイズ及び用紙タイプ）の組み合わせが、排紙トレイテーブル２００に登録されているか否かを判断する（ステップＳ１０２）。
【００４６】
トレイ選択部１０２は、印刷要求に含まれる複数の属性（用紙サイズ及び用紙タイプ）の組み合わせが、排紙トレイテーブル２００に登録されていると判断する（ステップＳ１０２、ＹＥＳ）。これは、印刷要求に含まれる複数の属性（用紙サイズ及び用紙タイプ）の用紙をサポートするトレイが存在することを意味する。すると、トレイ選択部１０２は、排出可能用紙サイズ２０２及び排出可能用紙タイプ２０３が関連付けられたトレイＩＤ２０１により識別される排紙トレイを、排紙先として選択する（ステップＳ１０９）。
【００４７】
一方、トレイ選択部１０２は、印刷要求に含まれる複数の属性（用紙サイズ及び用紙タイプ）の組み合わせが、排紙トレイテーブル２００に登録されていないと判断する（ステップＳ１０２、ＮＯ）。これは、印刷要求に含まれる複数の属性（用紙サイズ及び用紙タイプ）の用紙を排出するのに最適なトレイが存在しないことを意味する。
【００４８】
次に、トレイ選択部１０２は、印刷要求に含まれる用紙サイズが特定のサイズか否かを判断する（ステップＳ１０３）。「特定のサイズ」は、例えば、複数のトレイＩＤ２０１に対して排出可能用紙サイズ２０２として登録されているサイズとすればよい。「特定のサイズ」は、例えば、「A3、A4-R、A4、A5-R、B4、B5-R、B5」等とすればよい。また、「特定のサイズ」は、例えば、用紙の搬送方向の長さが第１の閾値以下の用紙サイズ、用紙の搬送方向の長さが第２の閾値（第２の閾値＜第１の閾値）を超える用紙サイズ、又は用紙の搬送方向の長さが第１の閾値以下であって第２の閾値を超える用紙サイズとしてもよい。
【００４９】
トレイ選択部１０２は、印刷要求に含まれる用紙サイズが特定のサイズでないと判断する（ステップＳ１０３、ＮＯ）。すると、トレイ選択部１０２は、第１優先順位として、（１）印刷要求に含まれる用紙サイズと同じ排出可能用紙サイズ２０２が、排紙トレイテーブル２００に登録されているか否かを判断する（ステップＳ１０４）。
【００５０】
トレイ選択部１０２は、印刷要求に含まれる用紙サイズと同じ排出可能用紙サイズ２０２が、排紙トレイテーブル２００に登録されていると判断する（ステップＳ１０４、ＹＥＳ）。すると、トレイ選択部１０２は、排出可能用紙サイズ２０２が関連付けられたトレイＩＤ２０１により識別される排紙トレイを、排紙先として選択する（ステップＳ１０５）。
【００５１】
一方、トレイ選択部１０２は、印刷要求に含まれる用紙サイズと同じ排出可能用紙サイズ２０２が、排紙トレイテーブル２００に登録されていないと判断する（ステップＳ１０４、ＮＯ）。すると、トレイ選択部１０２は、第２優先順位として、（２）印刷要求に含まれる用紙タイプと同じ排出可能用紙タイプ２０３が、排紙トレイテーブル２００に登録されているか否かを判断する（ステップＳ１０６）。
【００５２】
トレイ選択部１０２は、印刷要求に含まれる用紙タイプと同じ排出可能用紙タイプ２０３が、排紙トレイテーブル２００に登録されていると判断する（ステップＳ１０６、ＹＥＳ）。すると、トレイ選択部１０２は、排出可能用紙タイプ２０３が関連付けられたトレイＩＤ２０１により識別される排紙トレイを、排紙先として選択する（ステップＳ１０７）。
【００５３】
一方、トレイ選択部１０２は、印刷要求に含まれる用紙タイプと同じ排出可能用紙タイプ２０３が、排紙トレイテーブル２００に登録されていないと判断する（ステップＳ１０６、ＮＯ）。すると、トレイ選択部１０２は、排紙先となる排紙トレイを選択しない（エラー）（ステップＳ１０８）。
【００５４】
ステップＳ１０３に戻り、トレイ選択部１０２は、印刷要求に含まれる用紙サイズが特定のサイズであると判断する（ステップＳ１０３、ＹＥＳ）。すると、トレイ選択部１０２は、第１優先順位として、（２）印刷要求に含まれる用紙タイプと同じ排出可能用紙タイプ２０３が、排紙トレイテーブル２００に登録されているか否かを判断する（ステップＳ１１６（ステップＳ１０６と同様））。
【００５５】
トレイ選択部１０２は、印刷要求に含まれる用紙タイプと同じ排出可能用紙タイプ２０３が、排紙トレイテーブル２００に登録されていると判断する（ステップＳ１１６、ＹＥＳ）。すると、トレイ選択部１０２は、排出可能用紙タイプ２０３が関連付けられたトレイＩＤ２０１により識別される排紙トレイを、排紙先として選択する（ステップＳ１１７（ステップＳ１０７と同様））。
【００５６】
一方、トレイ選択部１０２は、印刷要求に含まれる用紙タイプと同じ排出可能用紙タイプ２０３が、排紙トレイテーブル２００に登録されていないと判断する（ステップＳ１１６、ＮＯ）。すると、トレイ選択部１０２は、第２優先順位として、（１）印刷要求に含まれる用紙サイズと同じ排出可能用紙サイズ２０２が、排紙トレイテーブル２００に登録されているか否かを判断する（ステップＳ１１４（ステップＳ１０４と同様））。
【００５７】
トレイ選択部１０２は、印刷要求に含まれる用紙サイズと同じ排出可能用紙サイズ２０２が、排紙トレイテーブル２００に登録されていると判断する（ステップＳ１１４、ＹＥＳ）。すると、トレイ選択部１０２は、排出可能用紙サイズ２０２が関連付けられたトレイＩＤ２０１により識別される排紙トレイを、排紙先として選択する（ステップＳ１１５（ステップＳ１０５と同様））。
【００５８】
一方、トレイ選択部１０２は、印刷要求に含まれる用紙サイズと同じ排出可能用紙サイズ２０２が、排紙トレイテーブル２００に登録されていないと判断する（ステップＳ１１４、ＮＯ）。すると、トレイ選択部１０２は、排紙先となる排紙トレイを選択しない（エラー）（ステップＳ１１８（ステップＳ１０８と同様））。
【００５９】
印刷制御部１０３は、画像形成部１６を制御して、印刷要求（ステップＳ１０１）に基づき画像を形成させ、選択した排紙トレイ（ステップＳ１０５、Ｓ１０７、Ｓ１０９、Ｓ１１５、Ｓ１１７）に排紙させる（ステップＳ１１０）。
【００６０】
５．具体例
【００６１】
具体例として、印刷要求は、「印刷される用紙の複数の属性」として、「用紙サイズ＝はがき」及び「用紙タイプ＝再生紙」を含むとする（ステップＳ１０１）。
【００６２】
トレイ選択部１０２は、印刷要求に含まれる複数の属性（即ち、「用紙サイズ＝はがき」及び「用紙タイプ＝再生紙」）の組み合わせが、排紙トレイテーブル２００に登録されているか否かを判断する（ステップＳ１０２）。図３の例では、トレイＩＤ２０１「トレイ１」、「トレイ２」及び「トレイ３」の何れにも、排出可能用紙サイズ２０２「はがき」及び排出可能用紙タイプ２０３「再生紙」の組み合わせは、登録されていない（ステップＳ１０２、ＮＯ）。これは、「用紙サイズ＝はがき」及び「用紙タイプ＝再生紙」である用紙を排出するのに最適なトレイが存在しないことを意味する。
【００６３】
次に、トレイ選択部１０２は、印刷要求に含まれる用紙サイズが特定のサイズ（例えば、A3、A4-R、A4、A5-R、B4、B5-R、B5）か否かを判断する（ステップＳ１０３）。トレイ選択部１０２は、印刷要求に含まれる用紙サイズ「はがき」が特定のサイズでないと判断する（ステップＳ１０３、ＮＯ）。
【００６４】
すると、トレイ選択部１０２は、（１）印刷要求に含まれる用紙サイズ「はがき」と同じ排出可能用紙サイズ２０２が、排紙トレイテーブル２００に登録されているか否かを判断する（ステップＳ１０４）。
【００６５】
トレイ選択部１０２は、印刷要求に含まれる用紙サイズ「はがき」と同じ排出可能用紙サイズ２０２「はがき」が、排紙トレイテーブル２００に登録されていると判断する（ステップＳ１０４、ＹＥＳ）。
【００６６】
すると、トレイ選択部１０２は、排出可能用紙サイズ２０２「はがき」が関連付けられたトレイＩＤ２０１「トレイ２」により識別される排紙トレイを、排紙先として選択する（ステップＳ１０５）。
【００６７】
６．変形例
【００６８】
本実施形態では、印刷要求に含まれる複数の属性の具体例を、用紙サイズ及び用紙タイプとし、排紙トレイの排出可能用紙の複数の属性の具体例を、排出可能用紙サイズ及び排出可能用紙タイプとした。属性に、用紙の厚さ（ｇ／平方メートル）、フィニッシャー（ステープル、パンチ、２つ折り、３つ折り等）をさらに含めてもよい。
【００６９】
本実施形態では、ＭＦＰ１０は、印刷要求に含まれる用紙サイズが特定のサイズでないと判断すると（ステップＳ１０３、ＮＯ）、第１優先順位として（１）で用紙サイズを判断し（ステップＳ１０４）、（１）で用紙サイズが排紙トレイテーブル２００に登録されていないと判断すると（ステップＳ１０４、ＮＯ）、第２優先順位として（２）で用紙タイプを判断する（ステップＳ１０６）。
【００７０】
これに替えて、ＭＦＰ１０は、印刷要求に含まれる用紙タイプが特定のタイプ（例えば、普通紙、上質紙などの典型的な用紙タイプ）でないと判断すると、第１優先順位として（２）で用紙タイプを判断し、（２）で用紙タイプが排紙トレイテーブル２００に登録されていないと判断すると、第２優先順位として（１）で用紙サイズを判断してもよい。
【００７１】
７．結語
【００７２】
典型的に、ＭＦＰはオプション装着などによって複数の排紙トレイを持つことができる。これらの排紙トレイには、ハードウェア的な制約等により、排出可能用紙サイズ及び排出可能用紙タイプが予め決められている。典型的に、ＭＦＰは、印刷要求を取得すると、印刷要求に含まれる用紙の属性（用紙サイズ及び用紙タイプ）を条件として、各排紙トレイの排出可能用紙サイズ及び排出可能用紙タイプに基づき、排紙先となる排紙トレイを選択する。
【００７３】
しかしながら、ＭＦＰの機種やオプションによっては、印刷要求に含まれる用紙の属性（用紙サイズ及び用紙タイプ）を満足する排紙トレイが存在しない場合がある。このようなケースでは、エラーで印刷を停止するか、あるいは、常に特定の排紙トレイ（例えば、排出可能用紙サイズ及び排出可能用紙タイプが最も多い排紙トレイ）に対して、強制排紙することが考えられる。しかし、エラーで印刷を停止すると、後続のジョブを実行できず、ＭＦＰの生産性が阻害される。一方、強制的に排出させる場合、本来推奨されない用紙を排出することから、正常に排出できず、紙詰まり（ジャム）が発生するおそれがある。
【００７４】
以上のような事情に鑑み、本実施形態によれば、ＭＦＰ１０は、印刷要求に含まれる複数の属性の組み合わせが、排紙トレイテーブル２００に登録されていないと判断すると（ステップＳ１０２、ＮＯ）、排紙トレイテーブル２００を参照して、印刷要求に含まれる少なくとも１つの属性が関連付けられた排紙トレイを排紙先として選択する（ステップＳ１０５、Ｓ１０７、Ｓ１０９、Ｓ１１５、Ｓ１１７）。これにより、ＭＦＰ１０は、印刷要求に含まれる属性を少しでもサポートする排紙トレイ、言い換えれば、少しでも適切な（即ち、紙詰まり等のトラブルが発生しにくい）排紙トレイを選択することができる。また、ＭＦＰ１０は、印刷要求に含まれる複数の属性のいずれも、排紙トレイテーブル２００に登録されていないと判断すると、排紙先を選択しない（エラー）（ステップＳ１０８、Ｓ１１８）。これにより、ＭＦＰ１０は、エラー（印刷停止）の回数を減らすことができ、ＭＦＰ１０のダウンタイムを減らすことができる。
【００７５】
具体的には、ＭＦＰ１０は、印刷要求に含まれる用紙サイズ及び用紙タイプの組み合わせが排紙トレイテーブル２００に登録されていないと判断すると、（１）又は（２）の条件で、排紙トレイを排紙先として選択する。（１）ＭＦＰ１０は、印刷要求に含まれる用紙サイズが排紙トレイテーブル２００に登録されていると判断すると、用紙サイズが関連付けられた排紙トレイを排紙先として選択する。（２）ＭＦＰ１０は、印刷要求に含まれる用紙タイプが排紙トレイテーブル２００に登録されていると判断すると、用紙タイプが関連付けられた排紙トレイを排紙先として選択する。このように、ＭＦＰ１０は、印刷要求に含まれる用紙サイズ又は用紙タイプをサポートする排紙トレイを排紙先として選択するので、少しでも適切な（即ち、紙詰まり等のトラブルが発生しにくい）排紙トレイを選択することができる。
【００７６】
より具体的には、ＭＦＰ１０は、印刷要求に含まれる用紙サイズが特定のサイズでないと判断すると（ステップＳ１０３、ＮＯ）、第１優先順位として（１）で用紙サイズを判断し（ステップＳ１０４）、（１）で用紙サイズが排紙トレイテーブル２００に登録されていないと判断すると（ステップＳ１０４、ＮＯ）、第２優先順位として（２）で用紙タイプを判断する（ステップＳ１０６）。これにより、特定のサイズ（典型的なサイズ）以外のサイズの用紙については、（１）の用紙サイズを優先して排紙トレイが選択される。これにより、ＭＦＰ１０は、特定のサイズ（典型的なサイズ）以外のサイズの用紙をサポートする排紙トレイを優先的に排紙先として選択するので、少しでも適切な（即ち、紙詰まり等のトラブルが発生しにくい）排紙トレイを選択することができる。
【００７７】
一方、ＭＦＰ１０は、印刷要求に含まれる用紙サイズが特定のサイズであると判断すると（ステップＳ１０３、ＹＥＳ）、第１優先順位として（２）で用紙タイプを判断し（ステップＳ１１６）、（２）で用紙タイプが排紙トレイテーブル２００に登録されていないと判断すると（ステップＳ１１６、ＮＯ）、第２優先順位として（１）で用紙サイズを判断する（ステップＳ１１４）。これにより、特定のサイズ（典型的なサイズ）の用紙については、（２）の用紙タイプを優先して排紙トレイが選択される。これにより、ＭＦＰ１０は、用紙タイプに合った排紙トレイを優先的に排紙先として選択するので、少しでも適切な（即ち、紙詰まり等のトラブルが発生しにくい）排紙トレイを選択することができる。
【００７８】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００７９】
ＭＦＰ１０
制御部１１
画像形成部１６
記憶装置１８
印刷要求取得部１０１
トレイ選択部１０２
印刷制御部１０３
排紙トレイテーブル２００
【図１】
2019151000.tif 000003
【図２】
2019151000.tif 000004
【図３】
2019151000.tif 000005
【図４】
2019151000.tif 000006